(57)【要約】【課題】  扉パネルを開けた際に、その裏面側の棚板上に物品が仮置きされる大きなスペースを確保することができ、扉パネルを閉じた際には、同棚板が邪魔にならず収納ボックス内のスペースを有効に活用することができ、同扉パネルの表面側の鏡面を使用することもできて使い勝手の良いミラーキャビネットを提供する。【解決手段】  前面開口した収納ボックス１の同前面開口部２に扉パネル３を開閉自在に付設し、この扉パネル３の表面側を鏡面４としたミラーキャビネットにおいて、前記扉パネル３の裏面側に棚板５を上下方向回動自在に枢着して、この棚板５を垂直収納状態と水平使用状態とで同扉パネル３の裏面側に支持固定されるようになした。【選択図】図１
2006255130.tif 000002
【特許請求の範囲】
【請求項１】
前面開口した収納ボックスの同前面開口部に扉パネルを開閉自在に付設し、この扉パネルの表面側を鏡面としたミラーキャビネットであって、前記扉パネルの裏面側に棚板を上下方向回動自在に枢着して、この棚板を垂直収納状態と水平使用状態とで同扉パネルの裏面側に支持固定されるようになしたミラーキャビネット。
【請求項２】
扉パネルはその側縁端が回動縦軸を介して収納ボックスの前面開口部の開口側縁に枢支付設されたものであり、同扉パネルに一端が枢支連結される支持アームを裏面側へ上下方向回動自在に突設して、この支持アームの他端側に棚板を横軸回りで回動自在に枢支連結したことを特徴とする請求項１記載のミラーキャビネット。
【請求項３】
支持アームの他端側にその長手方向に沿ったスリットを形成し、棚板に突設した枢支ピンを同スリットにその長手方向でスライド自在に係合させて、この棚板を同支持アームの他端側に枢支連結し、同棚板の水平使用状態における後側端縁に第一係着部を設け、この第一係着部が着脱自在に係着支持される第一係着受け部を扉パネルの下側裏面に設けると共に、同棚板の垂直収納状態における上部後面に第二係着部を設け、この第二係着部が着脱自在に係着支持される第二係着受け部を同扉パネルの上側裏面に設けたことを特徴とする請求項２記載のミラーキャビネット。
【請求項４】
支持アームを棚板の両側に配設すると共に、同棚板の両側端部に枢支ピンを突設したことを特徴とする請求項３記載のミラーキャビネット。
【発明の詳細な説明】
【技術分野】
【０００１】
本願発明は、前面開口した収納ボックスの同前面開口部に扉パネルを開閉自在に付設し、この扉パネルの表面側を鏡面としたミラーキャビネットに関するものである。
【背景技術】
【０００２】
従来から、図４に示す如く、前面開口した収納ボックス１の同前面開口部２に扉パネル３を開閉自在に付設し、この扉パネル３の表面側を鏡面４としたミラーキャビネットであって、前記扉パネル３の裏面側に棚板５を設けたミラーキャビネットが知られている（特許文献１）。この場合、扉パネル３はその側縁端が回動縦軸６を介して収納ボックス１の前面開口部２の開口側縁に枢支付設されたものであり、棚板５は収納棚として同扉パネル３の裏面側で箱型に一体化されたものである。
【０００３】
又、このミラーキャビネットは、化粧キャビネット１３の両側部分に配設一体化されたもので、同化粧キャビネット１３の中程部分には、大きな中央収納部２４とその前面開口を開閉する扉パネル３が設けられており、この扉パネル３の表面側も鏡面４とされている。又、前記収納ボックス１はサイド収納部となるもので、その内部にも棚２０が設けられている。したがって、この場合、収納ボックス１内部の棚２０上に物品を載置収容することができ、扉パネル３の裏面側でも棚板５上に物品を載置収容することができる。
【特許文献１】特開２００３−２３５６５５号公報
【発明の開示】
【発明が解決しようとする課題】
【０００４】
しかしながら、上記従来例にあっては、扉パネル３を閉じた際に、同扉パネル３の裏面側で箱型に一体化された収納棚となる棚板５が、収納ボックス１内で大きなスペースをとってしまい、同収納ボックス１内部の棚２０の前後巾寸法も小さく制限されてしまうものであった。そのため、収納ボックス１内のスペースを有効に活用することができず、又、扉パネル３の裏面側の棚板５もその前後方向寸法を大きくとることができず、同棚板５を物品の大きな仮置きスペースとすることができないものであった。
【０００５】
本願発明は、上記背景技術に鑑みて発明されたものであり、その課題は、扉パネルを開けた際に、その裏面側の棚板上に物品が仮置きされる大きなスペースを確保することができ、扉パネルを閉じた際には、収納ボックス内で同棚板が邪魔にならず、この収納ボックス内のスペースを有効に活用することができ、同扉パネルの表面側の鏡面を使用することもできて使い勝手の良いミラーキャビネットを提供することである。
【課題を解決するための手段】
【０００６】
上記課題を解決するために、本願発明のミラーキャビネットは、前面開口した収納ボックスの同前面開口部に扉パネルを開閉自在に付設し、この扉パネルの表面側を鏡面としたミラーキャビネットであって、前記扉パネルの裏面側に棚板を上下方向回動自在に枢着して、この棚板を垂直収納状態と水平使用状態とで同扉パネルの裏面側に支持固定されるようになしたものである。
【発明の効果】
【０００７】
本願発明のミラーキャビネットにおいては、扉パネルを開けた際に、その裏面側で上下方向回動自在に枢着された棚板を水平使用状態に支持固定してやることにより、同棚板上に物品を仮置きすることのできる大きなスペースが確保される。又、扉パネルを閉じた際には、前記棚板を同扉パネルの裏面側で垂直収納状態に支持固定してやることにより、収納ボックス内で同棚板が邪魔にならず、この収納ボックス内のスペースを有効に活用することができ、同扉パネルの表面側の鏡面を使用することもできて使い勝手が良好となる。
【発明を実施するための最良の形態】
【０００８】
図１〜３は、本願の請求項１〜４全てに対応した一実施形態であるミラーキャビネットを示している。この実施形態のミラーキャビネットは、前面開口した収納ボックス１の同前面開口部２に扉パネル３を開閉自在に付設し、この扉パネル３の表面側全面を鏡面４としたものである。そして、この実施形態のミラーキャビネットでは、前記扉パネル３の裏面側に棚板５を上下方向回動自在に枢着して、この棚板５を垂直収納状態（図３）と水平使用状態（図２）とで同扉パネル３の裏面側に支持固定されるようになしている。
【０００９】
又、この実施形態のミラーキャビネットにおいて、扉パネル３はその側縁端が回動縦軸６を介して収納ボックス１の前面開口部２の開口側縁に枢支付設されたものであり、同扉パネル３に一端が枢支連結される支持アーム７を裏面側へ上下方向回動自在に突設し、この支持アーム７の他端側に棚板５を横軸回りで回動自在に枢支連結している。
【００１０】
この場合、支持アーム７の他端側にその長手方向に沿ったスリット８を形成し、棚板５に突設した枢支ピン９を同スリット８にその長手方向でスライド自在に係合させて、この棚板５を同支持アーム７の他端側に枢支連結し、同棚板５の水平使用状態における後側端縁に第一係着部１０ａを設け、この第一係着部１０ａが着脱自在に係着支持される第一係着受け部１１ａを扉パネル３の下側裏面に設けると共に、同棚板５の垂直収納状態における上部後面に第二係着部１０ｂを設け、この第二係着部１０ｂが着脱自在に係着支持される第二係着受け部１１ｂを同扉パネル３の上側裏面に設けている。又、ここでは、支持アーム７を棚板５の両側に配設すると共に、同棚板５の両側端部に枢支ピン９を突設している。
【００１１】
以下、この実施形態のミラーキャビネットを、より具体的詳細に説明する。この実施形態のミラーキャビネットは、図１に示す如く、洗面化粧台の一部として施工されている。洗面化粧台は、洗面キャビネット１２の後端部上に化粧キャビネット１３が設置施工されてなり、この実施形態のミラーキャビネットは、同化粧キャビネット１３の両側部分にサイドキャビネットとして配設一体化されている。洗面キャビネット１２は、収納キャビネット１４上に洗面カウンター１５が設置固定されてなり、この洗面カウンター１５には洗面ボウル部１６及びその後側に吐水カラン１７が配設されている。
【００１２】
前記化粧キャビネット１３の両側部分には、この実施形態のミラーキャビネットにおける収納ボックス１が配設一体化形成されており、同化粧キャビネット１３の中程部分には、鏡面パネル１８とその上側に照明器具１９とが配設されている。化粧キャビネット１３は、その両側部分の収納ボックス１と一体に合成樹脂或いは木材で形成されたものである。収納ボックス１は前面開口した縦長箱状で、同前面開口部２に扉パネル３が外開き方向で開閉自在に付設されている。この場合、扉パネル３は、その外側縁端が丁番等でなる回動縦軸６を介して収納ボックス１の前面開口部２の開口外側縁に枢支付設されている。
【００１３】
収納ボックス１内には上下複数段の棚２０が配設されており、各棚２０の前後巾寸法は、その前端が垂直収納状態（図３）にある棚板５に当らないよう設定されている。扉パネル３は収納ボックス１の前面開口部２に適合するよう縦長の長方形状に形成され、その下側裏面の両側から支持アーム７が上下方向回動自在に突設されている。この場合、図２、３に示す如く、扉パネル３は、合成樹脂或いは木材でなる基板２１の表面側に鏡板２２を貼着してなり、この鏡板２２の表面が鏡面４とされる。そして、扉パネル３の下側裏面の両側に軸受け２３が配設され、両軸受け２３に支持アーム７の一端が枢支連結されて、両支持アーム７は上下方向回動自在に突設されている。
【００１４】
支持アーム７の他端側すなわち回動先端側には、棚板５が横軸回りで回動自在に枢支連結されている。この場合、支持アーム７にその長手方向に沿ったスリット８が形成され、棚板５の側端部には枢支ピン９が突設され、この枢支ピン９が同スリット８にその長手方向でスライド自在に係合されることで、同棚板５は同支持アーム７の他端側に横軸回りで回動自在に枢支連結されている。そして、図２に示す如く、棚板５の水平使用状態における後側端縁に第一係着部１０ａを設け、この第一係着部１０ａが着脱自在に係着支持される第一係着受け部１１ａを扉パネル３の下側裏面に設けている。又、図３に示す如く、棚板５の垂直収納状態における上部後面に第二係着部１０ｂを設け、この第二係着部１０ｂが着脱自在に係着支持される第二係着受け部１１ｂを同扉パネル３の上側裏面に設けている。
【００１５】
第一係着部１０ａ及び第二係着部１０ｂはいずれもダボ穴状で、第一係着部１０ａは棚板５の水平使用状態における後側端縁に、第二係着部１０ｂは同棚板５の垂直収納状態における上部後面に、各々穿設されている。第一係着受け部１１ａ及び第二係着受け部１１ｂはいずれもダボ突起状で、前記第一係着部１０ａ、第二係着部１０ｂと相互に嵌合し得る形状寸法に形成され、第一係着受け部１１ａは扉パネル３の下側裏面に、第二係着受け部１１ｂは同扉パネル３の上側裏面に、各々突設されている。なお、第一係着部１０ａ、第二係着部１０ｂ及び第一係着受け部１１ａ、第二係着受け部１１ｂとして、相互に着脱自在に係合される凹凸ラッチ形状のものを採用してもよい。
【００１６】
そして、図２（ｂ）に示す如く、水平状態にした棚板５を後方へ押圧移動させることで、同棚板５の後側端縁の第一係着部１０ａが扉パネル３の下側裏面の第一係着受け部１１ａに嵌合される。その際、図２（ａ）に示す如く、支持アーム７のスリット８を棚板５の枢支ピン９がスライド係合して、水平状態にある同棚板５は支障なく水平方向に移動され、第一係着部１０ａが第一係着受け部１１ａに嵌合されると、この嵌合部位及び両側の支持アーム７によって同棚板５は水平使用状態で確実に保持固定される。
【００１７】
又、図３（ｂ）に示す如く、垂直状態にした棚板５を後方へ押圧移動させることで、同棚板５の上部後面の第二係着部１０ｂが扉パネル３の上側裏面の第二係着受け部１１ｂに嵌合される。その際、図３（ａ）に示す如く、支持アーム７のスリット８に棚板５の枢支ピン９がスライド自在に係合した状態で同支持アーム７が軸受け２３を中心に回動して、垂直状態にある同棚板５は支障なく水平方向に移動され、第二係着部１０ｂが第二係着受け部１１ｂに嵌合されると、この嵌合部位及び両側の支持アーム７によって同棚板５は垂直収納状態で確実に保持固定される。
【００１８】
したがって、この実施形態のミラーキャビネットにおいては、図２に示す如く、扉パネル３を開けた際、その裏面側で上下方向回動自在に枢着された棚板５を水平使用状態に支持固定してやることにより、同棚板５上には物品を仮置きすることのできる大きなスペースが確保される。それ故に、この状態で、図１に示す如く、化粧キャビネット１３の中程部分の鏡面パネル１８を見ながら、その側方の前記棚板５上に化粧用品、整髪用品、洗顔用品等の洗面化粧品を仮置きして、洗面化粧作業を効率良く行うことができる。
【００１９】
又、図３に示す如く、扉パネル３を閉じた際には、前記棚板５を同扉パネル３の裏面側で垂直収納状態に支持固定してやることにより、この扉パネル３の裏面側で同棚板５を薄くコンパクトに納めることができる。それ故に、収納ボックス１内で棚板５が邪魔にならず、この収納ボックス１内のスペースを有効に活用することができ、同収納ボックス１内の棚２０の前後巾寸法も大きく設定することができる。又、扉パネル３を閉じた状態では、その表面側の鏡面４を使用することもでき、化粧キャビネット１３の中程部分の鏡面パネル１８と併せ用いることで使い勝手も良好となる。
【００２０】
又、この実施形態のミラーキャビネットにおいては、扉パネル３が回動縦軸６を介して収納ボックス１の前面開口部２の開口側縁に枢支付設されたもので開き戸式に開閉されるものであり、この場合に、同扉パネル３に一端が枢支連結される支持アーム７を裏面側へ上下方向回動自在に突設し、この支持アーム７の他端側に棚板５を横軸回りで回動自在に枢支連結したものであるため、同棚板５は支持アーム７で確実に支持されながら回動され易くてその回動の自由度も高く、扉パネル３の回動縦軸６を中心とする水平方向の回動開閉動作に対し、横軸回りで回動される棚板５は支障なく上下方向にスムーズに回動される。
【００２１】
又、この場合、支持アーム７の他端側にその長手方向に沿ったスリット８を形成し、棚板５に突設した枢支ピン９を同スリット８にその長手方向でスライド自在に係合させて、この棚板５を同支持アーム７の他端側に枢支連結し、同棚板５の水平使用状態における後側端縁に第一係着部１０ａを設け、この第一係着部１０ａが着脱自在に係着支持される第一係着受け部１１ａを扉パネル３の下側裏面に設けると共に、同棚板５の垂直収納状態における上部後面に第二係着部１０ｂを設け、この第二係着部１０ｂが着脱自在に係着支持される第二係着受け部１１ｂを同扉パネル３の上側裏面に設けているので、前記支持アーム７及び棚板５の各動作が確保される。
【００２２】
又、この実施形態のミラーキャビネットにおいては、前記支持アーム７を棚板５の両側に配設すると共に、同棚板５の両側端部に前記枢支ピン９を突設しているので、同棚板５は両側で安定して確実に支持され、その回動もよりスムーズとなる。なお、この実施形態のミラーキャビネットは、化粧キャビネット１３の両側部分にサイドキャビネットとして配設一体化されたものであるが、本願発明のミラーキャビネットはこれに限られるものでなく、単独のキャビネットとして設置施工されるものであってもよい。
【図面の簡単な説明】
【００２３】
【図１】本願発明の一実施形態であるミラーキャビネットの施工状態を示す斜視図。
【図２】同ミラーキャビネットにおいて扉パネルの裏面側で水平使用状態にある棚板を示す（ａ）は側面図、（ｂ）は要部分解縦断面図。
【図３】同ミラーキャビネットにおいて扉パネルの裏面側で垂直収納状態にある棚板を示す（ａ）は側面図、（ｂ）は要部分解縦断面図。
【図４】従来例であるミラーキャビネットの施工状態を示す横断面図。
【符号の説明】
【００２４】
１  収納ボックス
２  前面開口部
３  扉パネル
４  鏡面
５  棚板
６  回動縦軸
７  支持アーム
８  スリット
９  枢支ピン
１０ａ  第一係着部
１０ｂ  第二係着部
１１ａ  第一係着受け部
１１ｂ  第二係着受け部
【図１】
2006255130.tif 000003
【図２】
2006255130.tif 000004
【図３】
2006255130.tif 000005
【図４】
2006255130.tif 000006